【手続補正書】
【提出日】平成27年2月4日(2015.2.4)
【手続補正１】
【補正対象書類名】特許請求の範囲
【補正対象項目名】全文
【補正方法】変更
【補正の内容】
【特許請求の範囲】
【請求項１】
測定光を照射した被検眼からの戻り光に基づいて前記被検眼の画像を取得する撮像装置であって、
固視灯を第一の位置で点灯させて、前記被検眼の画像における第一の領域に対応する前記被検眼の領域の画像を取得する撮像手段と、
前記撮像手段により前記被検眼の画像における第二の領域に対応する前記被検眼の領域の画像が取得される場合に、前記第一の領域と前記第二の領域との距離と前記被検眼の視度とに基づいて、前記固視灯を点灯させる位置を前記第一の位置から第二の位置に変更する変更手段と、
を有することを特徴とする撮像装置。
【請求項２】
合焦手段を介して前記固視灯を前記被検眼に提示した際の前記合焦手段の合焦状態に基づいて、前記被検眼の視度を取得する視度取得手段と、
前記距離と前記取得された視度とに基づいて、前記第二の位置を取得する位置取得手段と、
を更に有することを特徴とする請求項１に記載の撮像装置。
【請求項３】
光路における前記合焦手段の位置を前記合焦状態として取得する合焦状態取得手段を有し、
前記視度取得手段が、前記合焦状態にある前記光路における前記合焦手段の前記取得された位置に基づいて前記被検眼の視度を取得することを特徴とする請求項２に記載の撮像装置。
【請求項４】
前記被検眼の視度を眼屈折力測定装置から取得する取得する視度取得手段と、
前記距離と前記取得された視度とに基づいて、前記第二の位置取得する位置取得手段と、
を更に有することを特徴とする請求項１に記載の撮像装置。
【請求項５】
前記画像の状態を指標に応じて判定する判定手段を更に有し、
前記指標は、画像のコントラスト又は強度を含むことを特徴とする請求項１乃至４の何れか一項に記載の撮像装置。
【請求項６】
前記測定光を第二の測定光に換え、前記第二の測定光の前記被検眼からの第二の戻り光により前記被検眼の第二の画像を取得する第二の撮像手段を更に有することを特徴とする請求項１乃至５の何れか一項に記載の撮像装置。
【請求項７】
前記被検眼の収差を測定する収差測定手段と、
前記測定された収差に基づいて、前記第二の測定光と前記第二の戻り光との収差の補正を行う収差補正手段と、
を更に有することを特徴とする請求項６に記載の撮像装置。
【請求項８】
前記第二の測定光の前記被検眼への合焦を行う合焦手段を有することを特徴とする請求項６又は７に記載の撮像装置。
【請求項９】
前記合焦手段は、前記被検眼の網膜の所望の層に前記第二の測定光を合焦させる、ことを特徴とする請求項６乃至８の何れか一項に記載の撮像装置。
【請求項１０】
測定光を照射した被検眼からの戻り光に基づいて前記被検眼の画像を取得する撮像装置であって、
固視灯を第一の位置で点灯させて、前記被検眼の画像における第一の領域に対応する前記被検眼の領域の画像を取得する撮像手段と、
前記撮像手段により前記被検眼の画像における第二の領域に対応する前記被検眼の領域の画像が取得される場合に、前記第一の領域と前記第二の領域との距離と、合焦手段を介して前記固視灯を前記被検眼に提示した際の光路における前記合焦手段の位置とに基づいて、前記固視灯を点灯させる位置を前記第一の位置から第二の位置に変更する変更手段と、
を有することを特徴とする撮像装置。
【請求項１１】
前記合焦手段を介して前記固視灯を前記被検眼に提示した際の前記合焦手段の合焦状態に基づいて、前記被検眼の視度を取得する視度取得手段と、
前記距離と前記取得された視度とに基づいて、前記第二の位置を取得する位置取得手段と、
を更に有することを特徴とする請求項１０に記載の撮像装置。
【請求項１２】
測定光を照射した被検眼からの戻り光に基づいて前記被検眼の画像を取得する撮像装置の制御方法であって、
固視灯を第一の位置で点灯させて、前記被検眼の画像における第一の領域に対応する前記被検眼の領域の画像を取得する工程と、
前記被検眼の画像における第二の領域に対応する前記被検眼の領域の画像が取得される場合に、前記第一の領域と前記第二の領域との距離と前記被検眼の視度とに基づいて、前記固視灯を点灯させる位置を前記第一の位置から第二の位置に変更する工程と、
を有することを特徴とする撮像装置の制御方法。
【請求項１３】
合焦手段を介して前記固視灯を前記被検眼に提示した際の前記合焦手段の合焦状態に基づいて、前記被検眼の視度を取得する工程と、
前記距離と前記取得された視度とに基づいて、前記第二の位置を取得する工程と、
を更に有することを特徴とする請求項１２に記載の撮像装置の制御方法。
【請求項１４】
光路における前記合焦手段の位置を前記合焦状態として取得する工程を有し、
前記視度を取得する工程において、前記合焦状態にある前記光路における前記取得された位置に基づいて前記被検眼の視度を取得することを特徴とする請求項１３に記載の撮像装置の制御方法。
【請求項１５】
前記被検眼の視度を眼屈折力測定装置から取得する工程と、
前記距離と前記取得された視度とに基づいて、前記第二の位置を取得する工程と、
を更に有することを特徴とする請求項１２に記載の撮像装置の制御方法。
【請求項１６】
測定光を照射した被検眼からの戻り光に基づいて前記被検眼の画像を取得する撮像装置の制御方法であって、
固視灯を第一の位置で点灯させて、前記被検眼の画像における第一の領域に対応する前記被検眼の領域の画像を取得する工程と、
前記被検眼の画像における第二の領域に対応する前記被検眼の領域の画像が取得される場合に、前記第一の領域と前記第二の領域との距離と、合焦手段を介して前記固視灯を前記被検眼に提示した際の光路における前記合焦手段の位置とに基づいて、前記固視灯を点灯させる位置を前記第一の位置から第二の位置に変更する工程と、
を有することを特徴とする撮像装置の制御方法。
【請求項１７】
前記合焦手段を介して前記固視灯を前記被検眼に提示した際の前記合焦手段の合焦状態に基づいて、前記被検眼の視度を取得する工程と、
前記距離と前記取得された視度とに基づいて、前記第二の位置を取得する工程と、
を更に有することを特徴とする請求項１６に記載の撮像装置の制御方法。
【請求項１８】
請求項１２乃至１７の何れか一項に記載の撮像装置の制御方法の各工程をコンピュータに実行させることを特徴とするプログラム。
【手続補正２】
【補正対象書類名】明細書
【補正対象項目名】発明の名称
【補正方法】変更
【補正の内容】
【発明の名称】撮像装置及び撮像装置の制御方法
【手続補正３】
【補正対象書類名】明細書
【補正対象項目名】０００１
【補正方法】変更
【補正の内容】
【０００１】
本発明は、光画像撮像装置に関し、特に眼科診療等に用いられる撮像装置及びその制御方法に関するものである。
【手続補正４】
【補正対象書類名】明細書
【補正対象項目名】０００７
【補正方法】変更
【補正の内容】
【０００７】
被検眼が屈折異常を有する場合、被検者が固視灯の表示が鮮明に見えるように、あるいは、取得する平面画像が鮮明に表示されるように、フォーカス調整を行う必要がある。その場合、光学系の構成によっては、固視灯の表示位置と被検眼に対して回旋が促される量との関係が、被検眼の視度に依存することがあり、眼底の所望の位置の平面画像を取得することが難しくなる。
例えば特許文献１に開示される眼底撮影装置では、眼底の所望位置の画像を得るために固視灯の制御が求められる場合についての対応は、固視灯の制御方法に留意されておらず難しい。また、特許文献２に開示される眼科装置では、視度の影響が勘案されておらず、従って適宜好適な平面画像を得ることが難しいと考えられる。
本発明は、上記課題に鑑み、被検眼の視度に応じて固視灯の表示位置を調整し、眼底の所望の位置の平面画像を容易に取得する撮像装置及びその制御方法を提供することを目的とする。
【手続補正５】
【補正対象書類名】明細書
【補正対象項目名】０００８
【補正方法】変更
【補正の内容】
【０００８】
上記目的を達成するために、本発明に係る撮像装置は、測定光を照射した被検眼からの戻り光に基づいて前記被検眼の画像を取得する撮像装置であって、
固視灯を第一の位置で点灯させて、前記被検眼の画像における第一の領域に対応する前記被検眼の領域の画像を取得する撮像手段と、
前記撮像手段により前記被検眼の画像における第二の領域に対応する前記被検眼の領域の画像が取得される場合に、前記第一の領域と前記第二の領域との距離と前記被検眼の視度とに基づいて、前記固視灯を点灯させる位置を前記第一の位置から第二の位置に変更する変更手段と、を有することを特徴とする。
【手続補正６】
【補正対象書類名】明細書
【補正対象項目名】０００９
【補正方法】変更
【補正の内容】
【０００９】
また、上記目的を達成するために、本発明に係る撮像装置の制御方法は、測定光を照射した被検眼からの戻り光に基づいて前記被検眼の画像を取得する撮像装置の制御方法であって、
固視灯を第一の位置で点灯させて、前記被検眼の画像における第一の領域に対応する前記被検眼の領域の画像を取得する工程と、
前記被検眼の画像における第二の領域に対応する前記被検眼の領域の画像が取得される場合に、前記第一の領域と前記第二の領域との距離と前記被検眼の視度とに基づいて、前記固視灯を点灯させる位置を前記第一の位置から第二の位置に変更する工程と、を有することを特徴とする。